【手続補正書】
【提出日】平成19年9月14日(2007.9.14)
【手続補正１】
【補正対象書類名】明細書
【補正対象項目名】特許請求の範囲
【補正方法】変更
【補正の内容】
【特許請求の範囲】
【請求項１】  電子写真感光体と、前記電子写真感光体の表面を帯電するための帯電手段と前記電子写真感光体上の潜像を現像するための現像手段とを含むプロセス手段と、情報を記憶する記憶手段とを有するプロセスカートリッジが着脱可能であって、記録媒体に画像を形成するための電子写真画像形成装置において、
前記電子写真感光体を複数の速度で駆動するための駆動手段と、
前記記憶手段からの情報の読み出し、及び、情報の書き込みを行う読み出し書き込み手段と、
前記プロセス手段の動作条件を制御するための制御手段とを有し、
前記記憶手段は、前記電子写真感光体の使用量に関する情報と、前記電子写真感光体の速度に応じた前記電子写真感光体の使用量を演算するための演算係数情報とを記憶しており、
前記制御手段は、前記記憶手段に記憶されている使用量情報と、前記演算係数とに応じて、前記電子写真感光体の使用量を演算し、演算の結果に応じて前記プロセス手段の動作状態を設定することを特徴とする電子写真画像形成装置。
【請求項２】  さらに、前記電子写真感光体上の画像を前記記録媒体に転写するための転写手段を有し、
前記電子写真感光体の使用量に関する、記憶手段に記憶されている情報は、前記電子写真感光体の総駆動時間、総帯電時間、総転写時間のうちの少なくとも一つであることを特徴とする請求項１に記載の電子写真画像形成装置。
【請求項３】  さらに、前記電子写真感光体上の画像を前記記録媒体に転写するための転写手段を有し、
前記記憶手段に記憶された電子写真感光体の使用量に関する情報とは、前記電子写真感光体の回転速度ごとの駆動時間、変更された帯電電圧条件ごとの帯電時間、及び変更された転写電圧条件ごとの転写時間のうちの少なくとも一つであることを特徴とする請求項１に記載の電子写真画像形成装置。
【請求項４】  前記制御手段は、前記演算の結果に応じて前記帯電手段への電圧と前記現像手段への電圧を変更することを特徴とする請求項１乃至３のいずれかに記載の電子写真画像形成装置。
【請求項５】  前記記憶手段は、前記演算の結果を前記プロセス条件に変換するためのテーブルを記憶することを特徴とする請求項１乃至４のいずれかに記載の電子写真画像形成装置。
【請求項６】  前記電子写真感光体を複数の速度で駆動することが可能な電子写真画像形成装置の本体に着脱可能なプロセスカートリッジであって、
前記電子写真感光体と、
前記電子写真感光体の表面を帯電するための帯電手段と、
前記電子写真感光体上の潜像を現像するための現像手段と、
前記電子写真感光体の使用量に関する情報を記憶する第一の記憶エリアと、前記電子写真感光体の回転速度に応じた前記電子写真感光体の使用量を演算するための演算係数情報をストアする第二の記憶エリアとを有する記憶手段とを有することを特徴とするカートリッジ。
【請求項７】  さらに、前記電子写真画像形成装置は前記電子写真感光体上の画像を前記記録媒体に転写するための転写手段を含み、
記憶手段に記憶されている前記電子写真感光体の使用量に関する情報は、前記電子写真感光体の総駆動時間、総帯電時間、総転写時間のうちの少なくとも一つであることを特徴とする請求項６に記載のプロセスカートリッジ。
【請求項８】  さらに、前記電子写真画像形成装置は前記電子写真感光体上の画像を前記記録媒体に転写するための転写手段を含み、
前記記憶手段に記憶された電子写真感光体の使用量に関する情報とは、前記電子写真感光体の回転速度ごとの駆動時間、変更された帯電電圧条件ごとの帯電時間、及び変更された転写電圧条件ごとの転写時間のうちの少なくとも一つであることを特徴とする請求項６に記載のプロセスカートリッジ。
【請求項９】  前記電子写真画像形成装置は、前記電子写真感光体の使用量に関する情報と前記演算係数情報に応じて前記電子写真感光体の使用量を演算するための制御手段を有し、
前記記憶手段は、前記制御手段による前記演算結果をプロセス条件に変換するためのテーブルを記憶するエリアを有することを特徴とする請求項６乃至８のいずれかに記載のプロセスカートリッジ。
【手続補正２】
【補正対象書類名】明細書
【補正対象項目名】００１１
【補正方法】変更
【補正の内容】
【００１１】
第１の本発明によると、電子写真感光体と、前記電子写真感光体の表面を帯電するための帯電手段と前記電子写真感光体上の潜像を現像するための現像手段とを含むプロセス手段と、情報を記憶する記憶手段とを有するプロセスカートリッジが着脱可能であって、記録媒体に画像を形成するための電子写真画像形成装置において、
前記電子写真感光体を複数の速度で駆動するための駆動手段と、
前記記憶手段からの情報の読み出し、及び、情報の書き込みを行う読み出し書き込み手段と、
前記プロセス手段の動作条件を制御するための制御手段とを有し、
前記記憶手段は、前記電子写真感光体の使用量に関する情報と、前記電子写真感光体の速度に応じた前記電子写真感光体の使用量を演算するための演算係数情報とを記憶しており、
前記制御手段は、前記記憶手段に記憶されている使用量情報と、前記演算係数とに応じて、前記電子写真感光体の使用量を演算し、演算の結果に応じて前記プロセス手段の動作状態を設定することを特徴とする電子写真画像形成装置が提供される。
【手続補正３】
【補正対象書類名】明細書
【補正対象項目名】００１２
【補正方法】変更
【補正の内容】
【００１２】
本発明の一実施態様によれば、さらに、前記電子写真感光体上の画像を前記記録媒体に転写するための転写手段を有し、前記電子写真感光体の使用量に関する、記憶手段に記憶されている情報は、前記電子写真感光体の総駆動時間、総帯電時間、総転写時間のうちの少なくとも一つである。
【手続補正４】
【補正対象書類名】明細書
【補正対象項目名】００１３
【補正方法】変更
【補正の内容】
【００１３】
本発明の他の実施態様によると、さらに、前記電子写真感光体上の画像を前記記録媒体に転写するための転写手段を有し、前記記憶手段に記憶された電子写真感光体の使用量に関する情報とは、前記電子写真感光体の回転速度ごとの駆動時間、変更された帯電電圧条件ごとの帯電時間、及び変更された転写電圧条件ごとの転写時間のうちの少なくとも一つである。
【手続補正５】
【補正対象書類名】明細書
【補正対象項目名】００１４
【補正方法】変更
【補正の内容】
【００１４】
また、本発明の他の実施態様によると、前記制御手段は、前記演算の結果に応じて前記帯電手段への電圧と前記現像手段への電圧を変更する。
【手続補正６】
【補正対象書類名】明細書
【補正対象項目名】００１５
【補正方法】変更
【補正の内容】
【００１５】
他の実施態様によると、前記記憶手段は、前記演算の結果を前記プロセス条件に変換するためのテーブルを記憶する。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
第２の本発明によると、前記電子写真感光体を複数の速度で駆動することが可能な電子写真画像形成装置の本体に着脱可能なプロセスカートリッジであって、
前記電子写真感光体と、
前記電子写真感光体の表面を帯電するための帯電手段と、
前記電子写真感光体上の潜像を現像するための現像手段と、
前記電子写真感光体の使用量に関する情報を記憶する第一の記憶エリアと、前記電子写真感光体の回転速度に応じた前記電子写真感光体の使用量を演算するための演算係数情報をストアする第二の記憶エリアとを有する記憶手段とを有することを特徴とするカートリッジが提供される。
【手続補正１８】
【補正対象書類名】明細書
【補正対象項目名】００２７
【補正方法】変更
【補正の内容】
【００２７】
本発明による一実施態様にると、さらに、前記電子写真画像形成装置は前記電子写真感光体上の画像を前記記録媒体に転写するための転写手段を含み、記憶手段に記憶されている前記電子写真感光体の使用量に関する情報は、前記電子写真感光体の総駆動時間、総帯電時間、総転写時間のうちの少なくとも一つである。
【手続補正１９】
【補正対象書類名】明細書
【補正対象項目名】００２８
【補正方法】変更
【補正の内容】
【００２８】
他の実施態様によると、さらに、前記電子写真画像形成装置は前記電子写真感光体上の画像を前記記録媒体に転写するための転写手段を含み、前記記憶手段に記憶された電子写真感光体の使用量に関する情報とは、前記電子写真感光体の回転速度ごとの駆動時間、変更された帯電電圧条件ごとの帯電時間、及び変更された転写電圧条件ごとの転写時間のうちの少なくとも一つである。
【手続補正２０】
【補正対象書類名】明細書
【補正対象項目名】００２９
【補正方法】変更
【補正の内容】
【００２９】
他の実施態様によると、前記電子写真画像形成装置は、前記電子写真感光体の使用量に関する情報と前記演算係数情報に応じて前記電子写真感光体の使用量を演算するための制御手段を有し、前記記憶手段は、前記制御手段による前記演算結果をプロセス条件に変換するためのテーブルを記憶するエリアを有する。
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】